(57)【要約】【課題】非接触ＩＣカードを利用して電子マネーで決済可能な電子決済機を探す手間を軽減することが可能な携帯端末機を提供する。【解決手段】非接触ＩＣカード１２は、アンテナ１６を介して、電子決済機から商品情報を取得する。ＧＰＳ部２１は、現在位置を測定する。メモリ１０は、非接触ＩＣカード１２が商品情報を取得したときにＧＰＳ部２１が測定した現在位置と、該商品情報と関連づけてを記録する。【選択図】図２
2007128155.tif 000002
【特許請求の範囲】
【請求項１】
電子マネーにて決済可能な電子決済機と通信して、商品の購入代金の決済を電子マネーで行なう非接触ＩＣカードを含む携帯端末機において、
前記電子決済機から前記商品の商品情報を取得する取得部と、
現在位置を測定する測定部と、
前記取得部が前記商品情報を取得したときに前記測定部にて測定された現在位置と、前記取得した商品情報と、を関連づけた装置情報を記録する記録部と、をさらに含むことを特徴とする携帯端末機。
【請求項２】
請求項１に記載の携帯端末機において、
前記電子決済機の位置を表示する旨の表示要求を受け付ける入力部と、
前記入力部が前記表示要求を受け付けると、少なくとも、そのときに前記測定部で測定された現在位置に最も近い位置を、前記記録部から検索する制御部と、
前記制御部にて検索された位置を表示する表示部と、を含む携帯端末機。
【請求項３】
請求項２に記載の携帯端末機において、
前記入力部は、前記装置情報を他の携帯端末機に送信する旨の送信要求を受け付け、
前記制御部は、前記入力部が前記送信要求を受け付けると、前記記録部に記録された装置情報を取得し、
前記制御部が取得した装置情報を前記他の携帯端末機に送信する通信部をさらに含む、携帯端末機。
【請求項４】
電子マネーにて決済可能な電子決済機の設置位置を配信する情報配信装置であって、
前記設置位置ごとに、該設置位置と、該設置位置の電子決済機にて決済可能な商品の商品情報と、を関連づけたデータベースを記憶する記憶部と、
前記携帯端末機の現在位置を受信する受信部と、
前記受信部が前記現在位置を受信すると、少なくとも前記受信された現在位置に最も近い設置位置を、前記記憶部から検索する管理部と、
前記管理部にて検索された設置位置と該設置位置に関連づけられた商品情報とを、前記携帯端末機に送信する送信部と、を含む情報配信装置。
【請求項５】
請求項４に記載の情報配信装置において、
前記受信部は、前記携帯端末機から前記設置位置および前記商品情報を受信し、
前記記憶部は、前記受信された設置位置および商品情報を記憶する、情報配信装置。
【請求項６】
電子マネーにて決済可能な電子決済機と通信して、商品の購入代金の決済を電子マネーで行なう非接触ＩＣカードを含む携帯端末機が行う記録方法であって、
前記電子決済機から前記商品の商品情報を取得する取得ステップと、
前記商品情報が取得されたときの現在位置を測定する測定ステップと、
前記測定された現在位置と、前記取得された商品情報と、を関連づけた装置情報を記録する記録ステップと、を含む記録方法。
【請求項７】
請求項６に記載の記録方法において、
前記携帯端末機は、前記装置情報を記録する記録部をさらに含み、
前記電子決済機の位置を表示する旨の表示要求を受け付ける入力ステップと、
前記表示要求が受け付けられたときの現在位置を測定する表示測定ステップと、
前記表示測定ステップにて測定された現在位置に最も近い位置を前記記録部から検索する検索ステップと、
前記検索された位置を表示する表示ステップと、を含む記録方法。
【請求項８】
請求項７に記載の記録方法において、
前記装置情報を他の携帯端末機に送信する旨の送信要求を受け付ける受付ステップと、
前記受付ステップにて前記送信要求が受け付けられると、前記記録部に記録された装置情報を取得する情報取得ステップと、
前記取得された装置情報を前記他の携帯端末機に送信する出力ステップと、をさらに含む記録方法。
【請求項９】
電子マネーにて決済可能な電子決済機の設置位置ごとに、該設置位置と、該設置位置の電子決済機にて決済可能な商品の商品情報と、を関連づけたデータベースを記憶する記憶部を含み、前記設置位置を配信する情報配信装置が行なう情報配信方法であって、
前記携帯端末機の現在位置を受信する受信ステップと、
前記受信ステップにて前記現在位置が受信されると、少なくとも前記受信された現在位置に最も近い設置位置を前記記憶部から検索する検索ステップと
前記検索された設置位置と該設置位置に関連づけられた商品情報とを、前記携帯端末機に送信する送信ステップと、を含む情報配信方法。
【請求項１０】
請求項９に記載の情報配信方法において、
前記携帯端末機から前記設置位置および前記商品情報を受信する情報受信ステップと、
前記受信された設置位置および商品情報を前記記憶部に記憶する情報記憶ステップと、をさらに含む情報配信方法。
【請求項１１】
電子マネーにて決済可能な電子決済機と通信して、商品の購入代金の決済を電子マネーで行なう非接触ＩＣカードと接続されたコンピュータに記録処理を実行させるプログラムであって、
前記電子決済機から前記商品の商品情報を取得する取得処理と、
前記商品情報が取得されたときの現在位置を測定する測定処理と、
前記測定された現在位置と、前記取得された商品情報と、を関連づけた装置情報を記録する情報記録処理と、を含む記録処理を前記コンピュータに実行させるプログラム。
【発明の詳細な説明】
【技術分野】
【０００１】
本発明は、携帯端末機、情報配信装置、記録方法、情報配信方法およびプログラムに関し、特には、電子マネーにて決済可能な電子決済機と通信して商品の購入代金の決済を電子マネーで行なう携帯端末機、情報配信装置、記録方法、情報配信方法およびプログラムに関する。
【背景技術】
【０００２】
近年、ユーザは、携帯端末機を、地図情報などが記憶されたサーバにアクセスさせて、商品の情報およびその商品の販売位置を取得することが可能になっている。
【０００３】
販売位置は、店舗の移転などにより変更される。このため、ユーザに商品の情報および販売位置を配信するためには、販売位置が変更されるたびに、サーバに記憶する地図情報などが更新されなければならない。しかしながら、販売位置が変更されるたびに地図情報を更新すると、手間がかかる。
【０００４】
特許文献１（特開平１１−２５９５６９号公報）には、商品の情報とその商品の販売位置を示す位置情報とを含む地図情報が記憶されたサーバに、商品の情報および位置情報を送信する携帯型端末装置が記載されている。サーバは、商品の情報および位置情報を受信すると、受信した商品情報および位置情報に基づいて、地図情報を更新する。このため、地図情報を更新する手間を軽減することが可能になる。
【特許文献１】特開平１１−２５９５６９号公報
【発明の開示】
【発明が解決しようとする課題】
【０００５】
近年、ユーザは、商品を購入する際に、現金でなく、非接触ＩＣカードを用いて、該商品の決済を行なうことが可能になっている。また、非接触ＩＣカードを有する携帯端末機が使用されている。
【０００６】
非接触ＩＣカードを有する携帯端末機では、ユーザは、該非接触ＩＣカードに記録された電子マネーを、電子決済機（例えば、自動販売機または電子キャッシュレジスタ）に読み取らせて、商品の購入代金の決済を行なう。例えば、携帯端末機が携帯電話機の場合、非接触ＩＣカードにて購入された商品の代金は、後日、携帯電話機の使用料と共に請求される。
【０００７】
また、非接触ＩＣカードを利用して決済可能な電子決済機の数は、少ない。このため、ユーザは、非接触ＩＣカードで決済したい場合、非接触ＩＣカードを利用することが可能な電子決済機を探す必要がある。
【０００８】
特許文献１に記載の携帯型端末装置では、サーバに記憶された地図情報は、非接触ＩＣカードで決済可能な電子決済機だけでなく、他の決済方法（例えば、現金による決済）で決済可能な店舗などの位置を示す位置情報が含まれている。このため、この携帯型端末装置では、非接触ＩＣカードを利用することが可能な電子決済機だけを探すことは困難である。
【０００９】
本発明の目的は、非接触ＩＣカードを利用して電子マネーで決済することが可能な電子決済機を探す手間を軽減することが可能な携帯端末機、情報配信システム、記録方法、情報配信方法およびプログラムを提供することである。
【課題を解決するための手段】
【００１０】
前記目的を達成するために、本発明の携帯端末機は、電子マネーにて決済可能な電子決済機と通信して、商品の購入代金の決済を電子マネーで行なう非接触ＩＣカードを含む携帯端末機において、前記電子決済機から前記商品の商品情報を取得する取得部と、現在位置を測定する測定部と、前記取得部が前記商品情報を取得したときに前記測定部にて測定された現在位置と、前記取得した商品情報と、を関連づけた装置情報を記録する記録部と、をさらに含むことを特徴とする。
【００１１】
また、本発明に記録方法は、電子マネーにて決済可能な電子決済機と通信して、商品の購入代金の決済を電子マネーで行なう非接触ＩＣカードを含む携帯端末機が行う記録方法であって、前記電子決済機から前記商品の商品情報を取得する取得ステップと、前記商品情報が取得されたときの現在位置を測定する測定ステップと、前記測定された現在位置と、前記取得された商品情報と、を関連づけた装置情報を記録する記録ステップと、を含む。
【００１２】
上記発明によれば、商品情報が、電子マネーにて決済可能な電子決済機から取得される。また、取得された商品情報が、現在位置と関連づけられて記憶される。このため、非接触ＩＣカードを利用して電子マネーで決済可能な電子決済機の位置だけを記録することが可能になる。よって、非接触ＩＣカードを利用することが可能な電子決済機を探す手間を軽減することが可能になる。
【００１３】
また、本発明では、前記電子決済機の位置を表示する旨の表示要求が受け付けられると、少なくとも、そのときに前記測定された現在位置に最も近い位置が検索され、前記検索された位置が表示されることが望ましい。
【００１４】
上記の発明によれば、表示要求が受け付けられると、少なくとも現在位置に最も近い位置が表示される。このため、ユーザは、現在位置に最も近い接触ＩＣカードが利用可能な電子決済機を探す手間を軽減することが可能になる。
【００１５】
また、本発明では、前記装置情報を他の携帯端末機に送信する旨の送信要求が受け付けられると、前記記録された装置情報が取得され、前記取得された装置情報が前記他の携帯端末機に送信されることが望ましい。
【００１６】
上記発明によれば、装置情報を他のユーザと共有することが可能になる。
【００１７】
また、本発明の情報配信装置は、電子マネーにて決済可能な電子決済機の設置位置を配信する情報配信装置であって、前記設置位置ごとに、該設置位置と、該設置位置の電子決済機にて決済可能な商品の商品情報と、を関連づけたデータベースを記憶する記憶部と、
前記携帯端末機の現在位置を受信する受信部と、前記受信部が前記現在位置を受信すると、少なくとも前記受信された現在位置に最も近い設置位置を、前記記憶部から検索する管理部と、前記管理部にて検索された設置位置と該設置位置に関連づけられた商品情報とを、前記携帯端末機に送信する送信部と、を含む。
【００１８】
また、本発明の情報配信方法は、電子マネーにて決済可能な電子決済機の設置位置ごとに、該設置位置と、該設置位置の電子決済機にて決済可能な商品の商品情報と、を関連づけたデータベースを記憶する記憶部を含み、前記設置位置を配信する情報配信装置が行なう情報配信方法であって、前記携帯端末機の現在位置を受信する受信ステップと、前記受信ステップにて前記現在位置が受信されると、少なくとも前記受信された現在位置に最も近い設置位置を前記記憶部から検索する検索ステップと前記検索された設置位置と該設置位置に関連づけられた商品情報とを、前記携帯端末機に送信する送信ステップと、を含む。
【００１９】
上記の発明によれば、携帯端末機の現在位置が受信されると、少なくとも、受信された現在位置に最も近い設置位置と該設置位置と関連づけられた商品情報とが送信される。このため、ユーザは、携帯端末機にて、電子マネーにて決済可能な電子決済機の位置を取得することが可能になる。
【００２０】
また、本発明では、前記携帯端末機から前記設置位置および前記商品情報が受信され、前記受信された前記設置位置および前記商品情報が記憶されることが望ましい。
【００２１】
上記の発明によれば、設置位置を自動的に更新することが可能になる。
【００２２】
また、本発明のプログラムは、電子マネーにて決済可能な電子決済機と通信して、商品の購入代金の決済を電子マネーで行なう非接触ＩＣカードと接続されたコンピュータに記録処理を実行させるプログラムであって、前記電子決済機から前記商品の商品情報を取得する取得処理と、前記商品情報が取得されたときの現在位置を測定する測定処理と、前記測定された現在位置と、前記取得された商品情報と、を関連づけた装置情報を記録する情報記録処理と、を含む記録処理を前記コンピュータに実行させる。
【００２３】
上記の発明によれば、上記の記録方法をコンピュータに実行させることが可能になる。
【発明の効果】
【００２４】
本発明によれば、非接触ＩＣカードを利用して電子マネーで決済することが可能な電子決済機を探す手間を軽減することが可能になる。
【発明を実施するための最良の形態】
【００２５】
以下、本発明の実施例について図面を参照して説明する。
【００２６】
図１は、本発明の一実施例の決済システムを示したブロック図である。
【００２７】
図１において、決済システムは、電子決済機１と、携帯端末機２および３とを含む。
【００２８】
電子決済機１は、例えば、電子キャッシュレジスタまたは自動販売機であって、各種店舗または公共施設などに配置される。
【００２９】
また、電子決済機１は、非接触ＩＣカードと通信して、電子マネーにて決済する。
【００３０】
さらに、電子決済機１は、商品情報を記憶する。
【００３１】
商品情報は、例えば、商品名、販売価格および商品分野を示す。
【００３２】
携帯端末機２および３は、例えば、携帯電話機であって、非接触ＩＣカードを含む。
【００３３】
非接触ＩＣカードは、電子決済機１と接続して、決済処理を行なう。
【００３４】
例えば、非接触ＩＣカードに電子マネーがチャージされている場合、決済処理は、チャージされた電子マネーから購入された商品の販売価格を差し引く処理である。また、非接触ＩＣカードに個人情報が記録され、電子決済機１が、記録された個人情報を読み取ってもよい。
【００３５】
図２は、携帯端末機２および３の構成の一例示したブロック図である。なお、携帯端末機２および３は、同一の構成のため、携帯端末機２を例に説明する。
【００３６】
図２において、携帯端末機２は、メモリ１０と、処理部１１と、取得部１２、入力部１３と、通信部１４と、表示部１５と、アンテナ１６および１７とを含む。
【００３７】
メモリ１０は、ＣＰＵにて読み取り可能な記録媒体であり、処理部１１の動作を規定するプログラムを記録している。
【００３８】
処理部１１は、例えば、ＣＰＵであり、メモリ１０に記録されたプログラムを読み取り、読み取ったプログラムを実行し、制御部２０およびＧＰＳ部２１を実現する。
【００３９】
取得部１２は、例えば、非接触ＩＣカードであり、アンテナ１６を介して電子決済機１と接続する。
【００４０】
取得部１２は、電子決済機１と接続すると、電子決済機１から購入された商品の商品情報を取得する。取得部１２は、電子決済機１から商品情報を取得すると、取得した商品情報を制御部２０に出力する。
【００４１】
制御部２０は、取得部１２から商品情報を受け付けると、ＧＰＳ部２１に動作命令を出力する。
【００４２】
ＧＰＳ部２１は、ＧＰＳ衛星（図示せず）が出力する信号を、アンテナ１７を介して受け付け、受け付けた信号に基づいて現在位置を測定する。
【００４３】
ＧＰＳ部２１は、制御部２０から動作命令を受け付けると、現在位置を測定する。ＧＰＳ部２１は、現在位置を測定すると、測定した現在位置を制御部２０に出力する。
【００４４】
制御部２０は、取得部１２から商品情報を受け付けた後で、ＧＰＳ部１２から現在位置を受け付けると、受け付けた現在位置および商品情報を関連づけた装置情報をメモリ１０に記録する。なお、制御部２０は、受け付けた現在位置を、電子決済機１の設置位置としてメモリ１０に記録する。
【００４５】
メモリ１０は、電子マネーにて決済可能な電子決済機の設置位置ごとに、該設置位置の電子決済機にて決済可能な商品の商品情報を関連づけた位置データベースを記憶する。
【００４６】
図３は、位置データベースの一例を示した例示図である。
【００４７】
図３において、位置データベース３００は、設置位置３０１と、商品名３０２と、販売価格３０３と、商品分野３０４と、を含む。
【００４８】
設置位置３０１は、電子マネーにて決済可能な電子決済機の設置位置である。
【００４９】
商品名３０２は、設置位置３０１の電子決済機にて決済可能な商品の商品名である。
【００５０】
販売価格３０３は、商品名３０２の商品の販売価格である。
【００５１】
商品分野３０４は、商品名３０２の商品の商品分野であり、例えば、食料品などを示す。
【００５２】
なお、商品名３０２、販売価格３０３および商品分野３０４は、商品情報である。
【００５３】
入力部１３は、ユーザから非接触ＩＣカードを利用して決済可能な電子決済機の設置位置を表示する旨の表示要求を受け付けると、受け付けた表示要求を制御部２０に出力する。
【００５４】
制御部２０は、入力部１３から表示要求を受け付けると、ＧＰＳ部２１に動作命令を出力する。ＧＰＳ部２１は、制御部２０から動作命令を受け付けると、現在位置を測定する。ＧＰＳ部２１は、現在位置を測定すると、測定した現在位置を制御部２０に出力する。
【００５５】
制御部２０は、ＧＰＳ部２１から現在位置を受け付けると、受け付けた現在位置に基づいて表示する装置情報をメモリ１０から取得する。
【００５６】
具体的には、制御部２０は、ＧＰＳ部２１から現在位置を受け付けると、受け付けた現在位置周辺の設置位置を含む装置情報を、メモリ１０に記録された位置データベースから検索する。なお、現在位置周辺の設置位置は、少なくとも現在位置に最も近い設置位置を含む。
【００５７】
制御部２０は、装置情報を検索すると、検索した装置情報を表示部１５に表示する。
【００５８】
また、入力部１３は、ユーザから装置情報を他の携帯端末機（以下では、携帯端末機３とする）に送信する旨の送信要求を受け付けると、受け付けた送信要求を制御部２０に出力する。
【００５９】
制御部２０は、入力部１３から送信要求を受け付けると、メモリ１０に記録された装置情報を取得する。
【００６０】
なお、メモリに記憶された装置情報ががすべて携帯端末機３に送信されると、ユーザが購入した商品名なども送信されるため、ユーザのプライバシーを保護することができない。
【００６１】
このため、例えば、図３において、制御部２０は、入力部１３から送信要求を受け付けると、設置位置３０１および商品分野３０４だけを装置情報として取得してもよい。この場合、ユーザのプライバシーを保護することが可能になる。
【００６２】
制御部２０は、装置情報を取得すると、取得した装置情報を通信部１４に出力する。
【００６３】
通信部１４は、制御部２０から装置情報を受け付けると、受け付けた装置情報を、例えば、赤外線通信で、携帯端末機３の通信部１４に送信する。
【００６４】
なお、制御部２０は、装置情報を取得すると、取得した装置情報を電子メールとして、通信部１４に出力してもよい。この場合、通信部１４は、制御部２０から電子メールを受け付けると、受け付けた電子メールをメールサーバ（図示せず）に送信する。
【００６５】
また、携帯端末機３の通信部１４は、装置情報を受け付けると、受け付けた装置情報を制御部２０に出力する。
【００６６】
制御部２０は、通信部１４から装置情報を受け付けると、受け付けた装置情報をメモリ１０に記録する。
【００６７】
次に動作を説明する。
【００６８】
図４は、携帯端末機の動作を説明するためのフローチャートである。具体的には、装置情報を記録する動作を説明したフローチャートである。
【００６９】
取得部１２は、電子決済機１から商品情報を取得すると、取得部１２は、ステップＳ４０１を実行する。
【００７０】
ステップＳ４０１では、取得部１２は、取得した商品情報を制御部２０に出力する。制御部２０は、商品情報を受け付けると、ステップＳ４０２を実行する。
【００７１】
ステップＳ４０２では、制御部２０は、ＧＰＳ部２１に動作命令を出力する。ＧＰＳ部２１は、動作命令を受け付けると、ステップＳ４０３を実行する。
【００７２】
ステップＳ４０３では、ＧＰＳ部２１は、現在位置を測定する。ＧＰＳ部２１は、現在位置を測定すると、ステップＳ４０４を実行する。
【００７３】
ステップＳ４０４では、ＧＰＳ部２１は、測定した現在位置を制御部２０に出力する。制御部２０は、現在位置を受け付けると、ステップＳ４０５を実行する。
【００７４】
ステップＳ４０５では、制御部２０は、受け付けた現在位置を、受け付けた商品情報と関連づけた装置情報をメモリ１０に記憶する。
【００７５】
図５は、装置情報を他の携帯端末機に送信する動作を説明するためのフローチャートである。
【００７６】
携帯端末機２の入力部１３は、ユーザから送信要求を受け付けると、ステップＳ５０１を実行する。
【００７７】
ステップＳ５０１では、入力部１３は、受け付けた送信要求を制御部２０に出力する。制御部２０は、送信要求を受け付けると、ステップＳ５０２を実行する。
【００７８】
ステップＳ５０２では、制御部２０は、メモリ１０から装置情報を取得する。制御部２０は、装置情報を取得すると、ステップＳ５０３を実行する。
【００７９】
ステップＳ５０３では、制御部２０は、取得した装置情報を通信部１４に出力する。通信部１４は、装置情報を受け付けると、ステップＳ５０４を実行する。
【００８０】
ステップＳ５０４では、通信部１４は、受け付けた装置情報を携帯端末機３の通信部１４に送信する。通信部１４は、装置情報を受信すると、ステップＳ５０５を実行する。
【００８１】
ステップＳ５０５では、通信部１４は、受信した装置情報を制御部２０に出力する。制御部２０は、装置情報を受け付けると、受け付けた装置情報をメモリ１０に記録する。
【００８２】
図６は、設置位置を表示する動作を説明したフローチャートである。
【００８３】
入力部１３は、ユーザから表示要求を受け付けると、ステップＳ６０１を実行する。
【００８４】
ステップＳ６０１では、入力部１３は、受け付けた表示要求を制御部２０に出力する。制御部２０は、入力部１３から表示要求を受け付けると、ステップＳ６０２を実行する。
【００８５】
ステップＳ６０２では、制御部２０は、ＧＰＳ部２１に動作命令を出力する。ＧＰＳ部２１は、動作命令を受け付けると、ステップＳ６０３を実行する。
【００８６】
ステップＳ６０３では、ＧＰＳ部２１は、現在位置を測定する。ＧＰＳ部２１は、現在位置を測定すると、ステップＳ６０４を実行する。
【００８７】
ステップＳ６０４では、ＧＰＳ部２１は、測定した現在位置を制御部２０に出力する。制御部２０は、現在位置を受け付けると、ステップＳ６０５を実行する。
【００８８】
ステップＳ６０５では、制御部２０は、受け付けた現在位置周辺の設置位置を含む装置情報を、メモリ１０に記録された位置データベースから検索する。制御部２０は、装置情報を検索すると、検索した装置情報を表示部１５に表示する。
【００８９】
本実施例によれば、取得部１２は、非接触ＩＣカードを利用して電子マネーで決済可能な電子決済機１から商品情報を取得する。ＧＰＳ部２１は、現在位置を測定する。メモリ１０は、取得部１２が商品情報を取得したときに、ＧＰＳ部が測定した現在位置を、取得部１２が取得した商品情報と関連づけて記録する。
【００９０】
この場合、非接触ＩＣカードを利用して電子マネーで決済可能な電子決済機１から商品情報が取得されると、取得された商品情報が、電子決済機の設置位置と関連づけられて記憶される。このため、非接触ＩＣカードが利用可能な電子決済機１の設置位置だけを記録することが可能になる。よって、非接触ＩＣカードを利用して電子マネーで決済可能な電子決済機を探す手間を軽減することが可能になる。
【００９１】
また、本実施例では、入力部１３が表示要求を受け付けると、制御部２０は、少なくとも、そのときにＧＰＳ部２１が測定した現在位置に最も近い設置位置を検索する。表示部１５は、制御部２０が検索した設置位置を表示する。
【００９２】
この場合、表示要求が受け付けられると、少なくとも現在位置にもっとも近い設置位置が表示される。このため、ユーザは、現在位置に最も近い接触ＩＣカードが利用可能な電子決済機を探す手間を軽減することが可能になる。
【００９３】
また、本実施例では、入力部１３が送信要求を受け付けると、通信部１５は、メモリ１０に記憶された装置情報を送信する。
【００９４】
この場合、装置情報を他のユーザと共有することが可能になる。
【００９５】
次に、情報配信システムについて説明する。
【００９６】
図７は、本発明の一実施例の情報配信システムを示したブロック図である。
【００９７】
図７において、情報配信システムは、携帯端末機１００ないし１０２と、サーバ１１０と、ネットワーク網１２０とを含む。なお、携帯端末機の数は、図５では、３だけだが、実際には任意の数でよい。
【００９８】
携帯端末機１００ないし１０２は、図２で示した携帯端末機２と同一の構成を有する。
【００９９】
サーバ１１０は、ネットワーク網１２０を介して、携帯端末機１００ないし１０２に装置情報を配信する。なお、ネットワーク網１２０は、例えば、インターネットである。
【０１００】
図２において、入力部１３は、ユーザから装置情報をサーバ１１０に送信する旨の送信命令を受け付けると、受け付けた送信命令を制御部２０に出力する。
【０１０１】
制御部２０は、入力部１３から送信命令を受け付けると、メモリ１０から装置情報を取得する。なお、制御部２０は、例えば、図３において、制御部２０は、入力部１３から送信命令を受け付けると、設置位置３０１および商品分野３０４だけを装置情報として取得してもよい。
【０１０２】
制御部２０は、装置情報を取得すると、取得した装置情報を通信部１４に出力する。通信部１４は、制御部２０から装置情報を受け付けると、受け付けた装置情報を、ネットワーク網１２０を介してサーバ１１０に送信する。
【０１０３】
図８は、サーバ１１０の構成を示したブロック図である。
【０１０４】
図８において、サーバ１１０は、受信部５１と、管理部５２と、記憶部５３と、送信部５４とを含む。
【０１０５】
受信部５１は、通信部１４から装置情報を受信すると、受信した装置情報を管理部５２に出力する。
【０１０６】
管理部５２は、受信部５１から装置情報を受け付けると、受け付けた装置情報を記憶部５３に記憶する。
【０１０７】
また、記憶部５３は、位置データベースを記憶する。
【０１０８】
次に、装置情報の配信について説明する。
【０１０９】
入力部１３は、ユーザから非接触ＩＣカードにて決済可能な電子決済機を取得する旨の取得要求を受け付けると、受け付けた取得要求を制御部２０に出力する。
【０１１０】
制御部２０は、入力部１３から取得要求を受け付けると、ＧＰＳ部２１に動作命令を出力する。
【０１１１】
ＧＰＳ部２１は、制御部２０から動作命令を受け付けると、現在位置を測定する。ＧＰＳ部２１は、現在位置を測定すると、測定した現在位置を制御部２０に出力する。
【０１１２】
制御部２０は、ＧＰＳ部２１から現在位置を受け付けると、受け付けた現在位置を通信部１４に出力する。通信部１４は、制御部２０から現在位置を受け付けると、受け付けた現在位置を、ネットワーク網１２０を介してサーバ１１０の受信部５１に送信する。
【０１１３】
受信部５１は、通信部１４から現在位置を受信すると、受信した現在位置を管理部５２に出力する。
【０１１４】
管理部５２は、受信部５１から現在位置を受け付けると、受け付けた現在位置に基づいて、携帯端末機１００に送信する装置情報を記憶部５３から取得する。
【０１１５】
具体的には、管理部５２は、受信部５１から現在位置を受け付けると、受け付けた現在位置周辺の設置位置を含む装置情報を、記憶部５３に記録された位置データベースから検索する。なお、現在位置周辺の設置位置は、少なくとも現在位置に最も近い設置位置を含む。
【０１１６】
管理部５２は、装置情報を検索すると、検索した検索情報を送信部５４に出力する。
【０１１７】
送信部５４は、管理部５２から装置情報を受け付けると、受け付けた装置情報を携帯端末機１００の通信部１４に送信する。通信部１４は、送信部５４から装置情報を受け付けると、受け付けた装置情報を制御部２０に出力する。
【０１１８】
制御部２０は、通信部１４から装置情報を受け付けると、受け付けた装置情報を表示部１５に表示する。
【０１１９】
次に動作を説明する。
【０１２０】
図９は、装置情報の配信する情報配信システムの動作を説明するためのフローチャートである。
【０１２１】
入力部１３は、ユーザから取得要求を受けけると、ステップＳ９０１を実行する。
【０１２２】
ステップＳ９０１では、入力部１３は、受け付けた取得要求を制御部２０に出力する。制御部２０は、取得要求を受け付けると、ステップＳ９０２を実行する。
【０１２３】
ステップＳ９０２では、制御部２０は、ＧＰＳ部２１に動作命令を出力する。ＧＰＳ部２１は、動作命令を受け付けると、ステップＳ９０３を実行する。
【０１２４】
ステップＳ９０３では、ＧＰＳ部２１は、現在位置を測定する。ＧＰＳ部２１は、現在位置を測定すると、ステップＳ９０４を実行する。
【０１２５】
ステップＳ９０４では、ＧＰＳ部２１は、測定した現在位置を制御部２０に出力する。制御部２０は、現在位置を受け付けると、ステップＳ９０５を実行する。
【０１２６】
ステップＳ９０５では、制御部２０は、受け付けた現在位置を通信部１４に出力する。通信部１４は、現在位置を受け付けると、ステップＳ９０６を実行する。
【０１２７】
ステップＳ９０６では、通信部１４は、受け付けた現在位置を、ネットワーク網１２０を介してサーバ１１０の受信部５１に送信する。受信部５１は、通信部１４から現在位置を受信すると、ステップＳ９０７を実行する。
【０１２８】
ステップＳ９０７では、受信部５１は、受信した現在位置を管理部５２に出力する。管理部５２は、現在位置を受け付けると、ステップＳ９０８を実行する。
【０１２９】
ステップＳ９０８では、管理部５２は、受け付けた現在位置周辺の設置位置を含む装置情報を、記憶部５３に記憶された位置データベースを検索する。管理部５２は、装置情報を検索すると、ステップＳ９０９を実行する。
【０１３０】
ステップＳ９０９では、管理部５２は、検索した装置情報を送信部５４に出力する。送信部５４は、装置情報を受け付けると、ステップＳ９１０を実行する。
【０１３１】
ステップＳ９１０では、送信部５４は、受け付けた装置情報を携帯端末機１００の通信部１４に送信する。通信部１４は、装置情報を受け付けると、ステップＳ９１１を実行する。
【０１３２】
ステップＳ９１１では、通信部１４は、受け付けた装置情報を制御部２０に出力する。制御部２０は、装置情報を受け付けると、受け付けた装置情報を表示部１５に表示する。
【０１３３】
本実施例によれば、記憶部５３は、位置データベースを記憶する。受信部５１が携帯端末機１００の現在位置を受け付けたと、管理部５２は、少なくとも、受信部５１が受け付けた現在位置に最も近い設置位置を含む装置情報を、メモリ１０に記録された位置データベースから検索する。送信部５４は、管理部５２が検索した装置情報を送信する。
【０１３４】
この場合、携帯端末機１００の現在位置が受信されると、少なくとも、受信された現在位置に最も近い設置位置を含む装置情報が送信される。このため、ユーザは、携帯端末機にて、電子マネーにて決済可能な電子決済機の設置位置を取得することが可能になる。
【０１３５】
また、本実施例では、受信部５１が携帯端末機１００から装置情報を受信すると、記憶部５３は、受信部５１が受信した装置情報を記憶する。
【０１３６】
上記の発明によれば、位置データベースを自動的に更新することが可能になる。
【０１３７】
以上説明した実施例において、図示した構成は単なる一例であって、本発明はその構成に限定されるものではない。
【図面の簡単な説明】
【０１３８】
【図１】本発明の一実施例の決済システムを示したブロック図である。
【図２】携帯端末機の構成の一例を示したブロック図である。
【図３】位置データベースの一例を示した例示図である。
【図４】携帯端末機の動作例を説明するためのフローチャートである。
【図５】携帯端末機の他の動作例を説明するためのフローチャートである。
【図６】携帯端末機の他の動作例を説明するためのフローチャートである。
【図７】本発明の一実施例の情報配信システムを示したブロック図である。
【図８】サーバの構成の一例を示したブロック図である。
【図９】情報配信システムの動作例を説明するためのフローチャートである。
【符号の説明】
【０１３９】
１        電子決算機
２        携帯端末機
３        携帯端末機
１０      メモリ
１１      処理部
１２      取得部
１３      入力部
１４      通信部
１５      表示部
１６      アンテナ
１７      アンテナ
２０      制御部
２１      ＧＰＳ部
５１      受信部
５２      管理部
５３      記憶部
５４      送信部
１００    携帯端末機
１０１    携帯端末機
１０２    携帯端末機
１１０    サーバ
１２０    ネットワーク網
３００    位置データベース
３０１    設置位置
３０２    商品名
３０３    販売価格
３０４    商品分野
【図１】
2007128155.tif 000003
【図２】
2007128155.tif 000004
【図３】
2007128155.tif 000005
【図４】
2007128155.tif 000006
【図５】
2007128155.tif 000007
【図６】
2007128155.tif 000008
【図７】
2007128155.tif 000009
【図８】
2007128155.tif 000010
【図９】
2007128155.tif 000011